(57)【要約】【課題】本発明は、複数のバッテリ接続口を有する種々の電動作業機械に対してバッテリ装置の電力を供給できるようにすることを目的とする。【解決手段】本発明に係るアダプタユニットは、複数のバッテリ接続口２３１，２３２を備える電動作業機械１０に対してバッテリ装置４０の電力を供給できるように構成されたアダプタユニット３０であって、電動作業機械１０の複数のバッテリ接続口２３１，２３２に対してそれぞれ接続可能に構成された複数のアダプタ３１，３２と、複数のアダプタ３１，３２とバッテリ装置４０とを電気的に接続するケーブル３５，３６とを有する。【選択図】図３
2014235812.tif 000002
【特許請求の範囲】
【請求項１】
複数のバッテリ接続口を備える電動作業機械に対してバッテリ装置の電力を供給できるように構成されたアダプタユニットであって、
前記電動作業機械の複数のバッテリ接続口に対してそれぞれ接続可能に構成された複数のアダプタと、
前記複数のアダプタと前記バッテリ装置とを電気的に接続するケーブルとを有することを特徴とするアダプタユニット。
【請求項２】
請求項１に記載されたアダプタユニットであって、
少なくとも一台の基準アダプタと、その基準アダプタに対応する基準バッテリ接続口とには、互いの接続を許容する誤接続防止部が設けられており、
前記基準アダプタの誤接続防止部は、その基準アダプタと前記基準バッテリ接続口以外のバッテリ接続口との接続を妨げるように構成されていることを特徴とするアダプタユニット。
【請求項３】
請求項１又は請求項２のいずれかに記載されたアダプタユニットであって、
前記複数のアダプタ間は、渡りケーブルによって電気的に接続されていることを特徴とするアダプタユニット。
【請求項４】
請求項３に記載されたアダプタユニットであって、
前記複数のアダプタと前記バッテリ装置とを接続するケーブルは、複数のアダプタ間を接続する渡りケーブルよりも長さ寸法が大きく設定されていることを特徴とするアダプタユニット。
【請求項５】
請求項１に記載されたアダプタユニットであって、
前記複数のアダプタが一体となるように構成されていることを特徴とするアダプタユニット。
【請求項６】
請求項１から請求項５のいずれかに記載されたアダプタユニットであって、
前記アダプタは、前記バッテリ装置からの信号に基づいて電動作業機械に対して放電禁止信号を出力できるように構成されていることを特徴とするアダプタユニット。
【請求項７】
請求項６に記載されたアダプタユニットであって、
少なくとも一台のアダプタが電動作業機械に対して放電禁止信号を出力可能な構成であり、その他のアダプタは電動作業機械に対して常に放電許可信号を出力できるように構成されていることを特徴とするアダプタユニット。
【請求項８】
請求項１から請求項７のいずれかに記載されたアダプタユニットであって、
各々のアダプタは、電動作業機械に設けられたバッテリ接続口に接続可能なバッテリパックと等しい電圧信号を出力できるように構成されていることを特徴とするアダプタユニット。
【請求項９】
請求項１から請求項８のいずれかに記載されたアダプタユニットであって、
前記アダプタには、前記バッテリ装置の内部抵抗を補償するための調整用抵抗が収納されていることを特徴とするアダプタユニット。
【請求項１０】
請求項１から請求項９のいずれかに記載されたアダプタユニットであって、
前記複数のアダプタは、電動作業機械を使用する使用者の身体に装着可能に構成されたバッテリ装置と前記ケーブルにより電気的に接続されていることを特徴とするアダプタユニット。
【発明の詳細な説明】
【技術分野】
【０００１】
本発明は、複数のバッテリ接続口を備える電動作業機械に対してバッテリ装置の電力を供給できるように構成されたアダプタユニットに関する。
【背景技術】
【０００２】
電動工具や園芸用の電動作業具等（以下、電動作業機械という）では、一般的に、その電動作業機械のモータの定格電圧に対応したバッテリパックが使用される。例えば、定格ＤＣ３６Ｖの電動作業機械では、定格ＤＣ３６Ｖのバッテリパックを使用するのが一般的である。しかし、定格１８Ｖのバッテリパックを複数所有しているユーザが定格３６Ｖの電動工具を新たに購入した場合に、定格１８Ｖのバッテリパックで定格３６Ｖの電動工具を駆動させることができれば、新たに定格３６Ｖのバッテリパックを購入する必要がなくなり、ユーザにとっては好ましい。
この点を考慮して、定格ＤＣ１８Ｖのバッテリパックが二台接続可能なように構成された定格ＤＣ３６Ｖの電動工具（ハンドドリル）が特許文献１（ＵＳ５０２８８５８）に記載されている。
即ち、前記電動工具は、定格ＤＣ１８Ｖのバッテリパックが二台接続可能なように、バッテリ接続口が二ヶ所に設けられている。そして、前記電動工具の内部に二台のバッテリパックを直列に接続するための電気回路が設けられている。このため、汎用的な定格ＤＣ１８Ｖのバッテリパック二台により、定格ＤＣ３６Ｖの電動工具を駆動できるようになる。
【先行技術文献】
【特許文献】
【０００３】
【特許文献１】ＵＳ５０２８８５８
【発明の概要】
【発明が解決しようとする課題】
【０００４】
しかし、定格ＤＣ１８Ｖ用のバッテリ接続口が二ヶ所に設けられた定格ＤＣ３６Ｖの電動工具（二口用の電動工具）では、定格ＤＣ３６Ｖのバッテリを使用することはできない。また、二口用の電動工具（定格ＤＣ３６Ｖ）では、一台の定格ＤＣ１８Ｖのバッテリで駆動させることもできない。
このため、二口用の電動工具の使い勝手が良くないという問題がある。
この点を改善するため、アダプタを介してバッテリパック（バッテリ装置）の電力を前記二口用の電動工具に供給することが考えられる。しかし、前記二口用の電動工具の種類によってバッテリ接続口の位置や取付け角度が異なるため、一種類のアダプタでは対応が難しい。
【０００５】
本発明は、上記問題点を解決するためになされたものであり、本発明が解決しようとする課題は、複数のバッテリ接続口を有する種々の電動作業機械に対してバッテリ装置の電力を供給できるようにすることである。
【課題を解決するための手段】
【０００６】
上記した課題は、各請求項の発明によって解決される。
請求項１の発明は、複数のバッテリ接続口を備える電動作業機械に対してバッテリ装置の電力を供給できるように構成されたアダプタユニットであって、前記電動作業機械の複数のバッテリ接続口に対してそれぞれ接続可能に構成された複数のアダプタと、前記複数のアダプタと前記バッテリ装置とを電気的に接続するケーブルとを有することを特徴とする。
【０００７】
本発明によると、電動作業機械の複数のバッテリ接続口に対してそれぞれ接続可能に構成された複数のアダプタを備えている。このため、電動作業機械のバッテリ接続口の位置が機種毎に異なっていても、それらのバッテリ接続口に対して複数のアダプタをそれぞれ接続できるようになる。したがって、複数のバッテリ接続口を有する種々の電動作業機械に対してバッテリ装置の電力を供給できるようになる。
【０００８】
請求項２の発明によると、少なくとも一台の基準アダプタと、その基準アダプタに対応する基準バッテリ接続口とには、互いの接続を許容する誤接続防止部が設けられており、前記基準アダプタの誤接続防止部は、その基準アダプタと前記基準バッテリ接続口以外のバッテリ接続口との接続を妨げるように構成されていることを特徴とする。
このため、複数のアダプタと複数のバッテリ接続口が誤接続された状態で、バッテリ装置の電力が電動作業機械に供給されるような不具合を防止できる。
【０００９】
請求項３の発明によると、複数のアダプタ間は、渡りケーブルによって電気的に接続されていることを特徴とする。
このため、複数のアダプタにおける配置の自由度が向上する。
請求項４の発明によると、複数のアダプタとバッテリ装置とを接続するケーブルは、複数のアダプタ間を接続する渡りケーブルよりも長さ寸法が大きく設定されていることを特徴とする。
請求項５の発明によると、複数のアダプタが一体となるように構成されていることを特徴とする。
【００１０】
請求項６の発明によると、アダプタは、バッテリ装置からの信号に基づいて電動作業機械に対して放電禁止信号を出力できるように構成されていることを特徴とする。
このため、バッテリ装置の状態に応じて電動作業機械の運転を停止できるようになる。
【００１１】
請求項７の発明によると、少なくとも一台のアダプタが電動作業機械に対して放電禁止信号を出力可能な構成であり、その他のアダプタは電動作業機械に対して常に放電許可信号を出力できるように構成されている。
このため、各々のアダプタ毎に放電禁止信号、あるいは放電許可信号を出力できる構成と比較してコスト低減を図ることができる。
【００１２】
請求項８の発明によると、各々のアダプタは、電動作業機械に設けられたバッテリ接続口に接続可能なバッテリパックと等しい電圧信号を出力できるように構成されていることを特徴とする。
このため、電動作業機械のマイコンは、複数のバッテリ接続口にそれぞれアダプタが接続された場合と、それぞれバッテリパックが接続された場合とを同様に取り扱えるようになる。
【００１３】
請求項９の発明によると、アダプタには、バッテリ装置の内部抵抗を補償するための調整用抵抗が収納されていることを特徴とする。
このため、電動作業機械に設けられたバッテリ接続口に接続可能なバッテリパックに対して、アダプタに接続されたバッテリ装置の内部抵抗が小さい場合に、その抵抗差を補償できる。
【００１４】
請求項１０の発明によると、複数のアダプタは、電動作業機械を使用する使用者の身体に装着可能に構成されたバッテリ装置とケーブルにより電気的に接続されていることを特徴とする。
このように、バッテリ装置は電動作業機械を使用する使用者の身体に装着可能に構成されているため、バッテリ装置とアダプタユニットとの取扱い性が向上する。
【発明の効果】
【００１５】
本発明によると、アダプタユニットによって複数のバッテリ接続口を有する種々の電動作業機械にバッテリ装置の電力を供給できるようになる。
【図面の簡単な説明】
【００１６】
【図１】電動作業機械であるバッテリ式の携帯マルノコの全体斜視図である。
【図２】前記携帯マルノコの上部ハウジングを表す斜視図である。
【図３】本発明の実施形態１に係るアダプタユニットの全体斜視図である。
【図４】前記携帯マルノコとアダプタユニットとを接続した状態を表す全体斜視図である。
【図５】前記アダプタユニットを構成する第１アダプタ、第２アダプタ（バッテリパック）の斜視図である。
【図６】前記携帯マルノコとアダプタユニットとの誤接続状態を表す側面図である。
【図７】図６のVII-VII矢視断面図である。
【図８】前記アダプタユニットと、バッテリ装置と、携帯マルノコとの接続を表す配線ブロック図である。
【図９】変更例に係る第２アダプタの配線ブロック図である。
【図１０】携帯マルノコの動作フローチャートである。
【図１１】変更例に係るアダプタユニットの全体斜視図である。
【図１２】第１、第２アダプタの誤接続防止構造を表す模式断面図である。
【図１３】変更例に係る第１アダプタの斜視図である。
【図１４】変更例に係るアダプタの誤接続防止構造を表す模式断面図である。
【発明を実施するための形態】
【００１７】
［実施形態１］
以下、図１から図１４に基づいて本発明の実施形態１に係るアダプタユニットについて説明する。本実施形態に係るアダプタユニット３０は、図３、図４に示すように、背負式のバッテリ装置４０の電力を電動作業機械であるバッテリ式の携帯マルノコ１０に供給するための装置である。
なお、図１等に記載された前後左右は、携帯マルノコ１０の前後左右に対応している。また、図５に記載された前後左右は、第１アダプタ３１、第２アダプタ３２の前後左右に対応している。
【００１８】
＜携帯マルノコ１０について＞
本実施形態に係るアダプタユニット３０について説明する前に、図１、図２に基づいて、バッテリ式の携帯マルノコ１０について説明する。
バッテリ式の携帯マルノコ１０は、木板等の切断に使用される携帯式の電動工具であり、定格ＤＣ３６Ｖのモータ１６ｍを駆動源としている。そして、前記モータ１６ｍが、図１に示すように、二台の定格ＤＣ１８Ｖのバッテリパック５０により駆動させられるように構成されている。
携帯マルノコ１０は、前後に長い平面角形のベース１２と、このベース１２上に角度調整可能な状態で設置されたマルノコ本体１４とを備えている。マルノコ本体１４は、モータ１６ｍと減速機構等（図示省略）とが収納される筒状ハウジング１６を備えている。筒状ハウジング１６は軸心が左右方向に延びるように前記ベース１２上に設置されており、その筒状ハウジング１６から軸方向に突出した前記減速機構の出力軸（図示省略）に円板状の鋸刃１８が同軸に取付けられている。鋸刃１８は、その鋸刃１８の下部がベース１２の下面から下方に突出しており、その突出部分により切断等の加工が行われる。鋸刃１８の外周縁はブレードケース１９に覆われており、木板等の切断時にそのブレードケース１９が木材等に押されて回動しながら鋸刃１８の外周縁を露出させられるように構成されている。
【００１９】
マルノコ本体１４の筒状ハウジング１６の上側には、上部ハウジング２２が筒状ハウジング１６と交差するように連結されており、その上部ハウジング２２に取っ手状のハンドル部２２０が設けられている。そして、前記ハンドル部２２０の前部位置に使用者が指を掛けて引き操作するトリガ形式の起動スイッチ２２１が設けられている。また、ハンドル部２２０の後端位置には、図１、図２に示すように、二台の定格ＤＣ１８Ｖのバッテリパック５０がスライド接続可能なように構成されたバッテリ連結部２３０が設けられている。
バッテリ連結部２３０の下側には、図２に示すように、前後方向に並んだ状態で第１バッテリ接続口２３１と第２バッテリ接続口２３２とが形成されている。そして、第１バッテリ接続口２３１と第２バッテリ接続口２３２とに、前記バッテリパック５０が左から右方向に水平スライドすることにより連結される。即ち、第１バッテリ接続口２３１と第２バッテリ接続口２３２とには、幅方向両側位置にバッテリパック５０の幅方向両側のスライドレール３１６（横方向突条部３１７（図５の下図参照））が嵌合する角溝２３３が形成されている。このため、バッテリパック５０の各横方向突条部３１７を第１バッテリ接続口２３１、あるいは第２バッテリ接続口２３２の各角溝２３３の端部に嵌合させ、さらに水平スライドさせることで、バッテリパック５０を第１バッテリ接続口２３１、あるいは第２バッテリ接続口２３２に接続することができる。
【００２０】
携帯マルノコ１０の第１バッテリ接続口２３１には、図７の平断面図、図８の配線ブロック図に示すように、第１プラスターミナルＰ１と、第１マイナスターミナルＮ１と、オートストップターミナルＡＳとが設けられている。また、第２バッテリ接続口２３２には、第２プラスターミナルＰ２と、第２マイナスターミナルＮ２と、オートストップターミナルＡＳとが設けられている。そして、第１バッテリ接続口２３１と第２バッテリ接続口２３２とにそれぞれバッテリパック５０が連結された状態で、第１バッテリ接続口２３１の第１プラスターミナルＰ１と第１マイナスターミナルＮ１間にはＤＣ１８Ｖの電圧が印加される。また、第２バッテリ接続口２３２の第２プラスターミナルＰ２と第２マイナスターミナルＮ２間にはＤＣ１８Ｖの電圧が印加される。
携帯マルノコ１０の電気回路は、図８に示すように、二台のバッテリパック５０を直列接続できるように構成されている。即ち、第１バッテリ接続口２３１の第１マイナスターミナルＮ１と第２バッテリ接続口２３２の第２プラスターミナルＰ２とが内部渡り線１０ｗにより接続されている。また、第１バッテリ接続口２３１の第１プラスターミナルＰ１には、電源プラスライン１０ｐが接続されており、その電源プラスライン１０ｐがトリガ形式の起動スイッチ２２１を介して定格ＤＣ３６Ｖのモータ１６ｍのプラス端子（図番省略）に接続されている。さらに、第２バッテリ接続口２３２の第２マイナスターミナルＮ２には、電源マイナスライン１０ｎが接続されており、その電源マイナスライン１０ｎがスイッチング素子であるＦＥＴ１６ｆを介して前記モータ１６ｍのマイナス端子（図番省略）に接続されている。
【００２１】
また、携帯マルノコ１０の電気回路は、図８に示すように、マイコン２４０と、ＳＷ操作検出回路２４１と、ＦＥＴ駆動回路２４３と、第１バッテリ電圧検出回路２４４、及び第２バッテリ電圧検出回路２４５とを備えている。
ＳＷ操作検出回路２４１は、トリガ形式の起動スイッチ２２１が操作されたことを検出する回路であり、起動スイッチ２２１の操作信号をマイコン２４０に入力できるように構成されている。ＦＥＴ駆動回路２４３は、マイコン２４０からの信号に基づいてＦＥＴ１６ｆを動作させてモータ１６ｍの回転制御を行う回路である。マイコン２４０は、起動スイッチ２２１の操作信号に基づいてＦＥＴ駆動回路２４３を制御できるように構成されている。
第１バッテリ電圧検出回路２４４は、第１バッテリ接続口２３１の第１プラスターミナルＰ１と第１マイナスターミナルＮ１間に電圧（ＤＣ１８Ｖ）が印加されたことを検出する回路である。また、第２バッテリ電圧検出回路２４５は、第２バッテリ接続口２３２の第２プラスターミナルＰ２と第２マイナスターミナルＮ２間に電圧（ＤＣ１８Ｖ）が印加されたことを検出する回路である。マイコン２４０は、第１バッテリ電圧検出回路２４４と第２バッテリ電圧検出回路２４５とが共に電圧を検出した状態で起動スイッチ２２１の操作信号に基づきＦＥＴ駆動回路２４３に対して動作信号を出力できるように構成されている。さらに、マイコン２４０は、バッテリパック５０からオートストップターミナルＡＳを介して放電禁止信号が入力されると、モータ１６ｍの回転停止信号をＦＥＴ駆動回路２４３に対して出力する。
【００２２】
＜アダプタユニット３０について＞
アダプタユニット３０は、図３、図４に示すように、二台のバッテリパック５０の代わりに、定格ＤＣ３６Ｖのバッテリ装置４０の電力を携帯マルノコ１０に供給するための装置である。アダプタユニット３０は、携帯マルノコ１０の第１バッテリ接続口２３１に接続可能に構成された第１アダプタ３１と、第２バッテリ接続口２３２に接続可能に構成された第２アダプタ３２と、第１アダプタ３１とバッテリ装置４０間に配線された主ケーブル３５と、第１アダプタ３１と第２アダプタ３２間に配線された渡りケーブル３６とから構成されている。
第１アダプタ３１は、前記バッテリパック５０とほぼ等しい外形をしており、図５の上図に示すように、上部開放型のハウジング本体部３１０と、そのハウジング本体部３１０の上部開口を塞ぐ蓋部３１５とから構成されている。蓋部３１５の上面には、左右両側に携帯マルノコ１０の第１バッテリ接続口２３１との連結に使用される一対のスライドレール３１６が前後方向に延びるように形成されている。左右のスライドレール３１６には、上側面から幅方向外側に一定寸法だけ突出する横方向突条部３１７が形成されており、左右の横方向突条部３１７が、図２に示す第１バッテリ接続口２３１の幅方向両側に形成された角溝２３３に嵌合可能なように構成されている。
【００２３】
また、第１アダプタ３１には、左側の横方向突条部３１７に幅方向外側に一定寸法だけ突出する突条３１７ｔが形成されている。これに対し、携帯マルノコ１０の第１バッテリ接続口２３１には、図２に示すように、前側の角溝２３３に第１アダプタ３１の左側の横方向突条部３１７における突条３１７ｔが嵌合可能に構成された凹部２３３ｍが形成されている。
ここで、携帯マルノコ１０の第２バッテリ接続口２３２には、幅方向両側の角溝２３３に凹部２３３ｍが形成されていないため（図２参照）、第１アダプタ３１は第２バッテリ接続口２３２に対して接続不能となっている。
即ち、図６に示すように、第１アダプタ３１の横方向突条部３１７を携帯マルノコ１０の第２バッテリ接続口２３２の角溝２３３に嵌合させて、第１アダプタ３１を挿入方向に水平スライドさせようとしても、図７に示すように、第１アダプタ３１の突条３１７ｔが第２バッテリ接続口２３２の角溝２３３の壁面に当接することで、第１アダプタ３１の挿入方向の水平スライドが禁止される。
第２アダプタ３２は、図５の下図に示すように、前記バッテリパック５０と等しい外形をしている。即ち、第２アダプタ３２は、第１アダプタ３１とほぼ等しい外形をしており、左側の横方向突条部３１７に突条３１７ｔが形成されていない点が第１アダプタ３１と異なっている。このため、第２アダプタ３２は、携帯マルノコ１０の第１バッテリ接続口２３１、及び第２バッテリ接続口２３２の双方に対して接続可能に構成されている。
即ち、前記第１アダプタ３１が本発明の基準アダプタに相当し、第１バッテリ接続口２３１が本発明の基準バッテリ接続口に相当する。また、第１アダプタ３１の横方向突条部３１７の突条３１７ｔと第１バッテリ接続口２３１の角溝２３３の凹部２３３ｍとが本発明の誤接続防止部に相当する。
【００２４】
第１アダプタ３１には、図７、図８に示すように、携帯マルノコ１０の第１バッテリ接続口２３１の第１プラスターミナルＰ１、第１マイナスターミナルＮ１、オートストップターミナルＡＳにそれぞれ接続可能に構成された第１プラス端子Ｐ１、第１マイナス端子Ｎ１、オートストップ端子ＡＳが基板３０ｋ（図７参照）の上面に設けられている。そして、図８に示すように、第１アダプタ３１の第１プラス端子Ｐ１と第１マイナス端子Ｎ１間にＤＣ１８Ｖの電圧を発生されるツェナーダイオード３１ｚが接続されている。また、第１アダプタ３１には、背負式のバッテリ装置４０のコントローラ４３（後記する）から伝送された放電制御信号を携帯マルノコ１０用の放電制御信号に変換してオートストップ端子ＡＳに出力する放電制御信号変換回路３１ｘが設けられている。
第２アダプタ３２には、図７、図８に示すように、携帯マルノコ１０の第２バッテリ接続口２３２の第２プラスターミナルＰ２、第２マイナスターミナルＮ２、オートストップターミナルＡＳにそれぞれ接続可能に構成された第２プラス端子Ｐ２、第２マイナス端子Ｎ２、オートストップ端子ＡＳが基板３０ｋ（図７参照）の上面に設けられている。そして、第２アダプタ３２の第２プラス端子Ｐ２と第２マイナス端子Ｎ２間にＤＣ１８Ｖの電圧を発生される分圧抵抗３２ｒが接続されている。また、第２アダプタ３２には、放電許可信号を発生させてオートストップ端子ＡＳに出力できるように構成された放電許可信号出力回路３２ｙが設けられている。
【００２５】
第１アダプタ３１の第１プラス端子Ｐ１は、主ケーブル３５のプラス電源線３５ｐによって背負式のバッテリ装置４０のプラス端子Ｐ０に接続されている。また、第２アダプタ３２の第２マイナス端子Ｎ２は、渡りケーブル３６によって第１アダプタ３１の中継端子Ｃ１に接続され、その中継端子Ｃ１、主ケーブル３５のマイナス電源線３５ｎを介して背負式のバッテリ装置４０のマイナス端子Ｎ０に接続されている。
ここで、主ケーブル３５の長さ寸法は約１ｍに設定されており、渡りケーブル３６の長さ寸法は約３０ｃｍに設定されている。
バッテリ装置４０は、定格ＤＣ３６Ｖの電源装置であり、図３、図４に示すように、使用者が背負えるバッテリハウジング４１内に多数のセルＳを備えている。前記セルＳは、図８に示すように、プラス端子Ｐ０とマイナス端子Ｎ０間の電圧が定格ＤＣ３６Ｖになるように直列に接続されており、その直列に接続されたセル集合体が複数組並列に接続されている。
【００２６】
また、バッテリ装置４０は、コントローラ４３を備えており、そのコントローラ４３によって各々のセルＳの電圧、及びセル温度が監視されている。そして、コントローラ４３は、セルＳの電圧、及び温度等に基づいて放電制御信号、即ち、放電許可信号、あるいは放電禁止信号を出力できるように構成されている。コントローラ４３の放電制御信号は、バッテリ装置４０のオートストップ端子ＡＳ、主ケーブル３５の信号線３５ｓを介して第１アダプタ３１の放電制御信号変換回路３１ｘに入力される。
ここで、図９に示すように、第２アダプタ３２にバッテリ装置４０のセルＳの内部抵抗を補償するための調整用抵抗３２ｑを収納することが可能である。これにより、バッテリパック５０に対し、第１アダプタ３１、第２アダプタ３２を介して接続されるバッテリ装置４０の内部抵抗が小さい場合に、その抵抗差を補償することができる。なお、調整用抵抗３２ｑには放熱板３２ｆを設けるのが好ましい。
【００２７】
＜アダプタユニット３０の動作について＞
次に、アダプタユニット３０の動作について説明する。
先ず、バッテリ装置４０を背負った状態で、携帯マルノコ１０の第１バッテリ接続口２３１に第１アダプタ３１を接続する。即ち、携帯マルノコ１０の第１バッテリ接続口２３１の角溝２３３に第１アダプタ３１のスライドレール３１６の横方向突条部３１７を嵌合させ、第１アダプタ３１を前方（携帯マルノコ１０の左から右）にスライドさせる。このとき、第１アダプタ３１の横方向突条部３１７の突条３１７ｔ（図５参照）が第１バッテリ接続口２３１の角溝２３３の凹部２３３ｍと嵌合するため、第１バッテリ接続口２３１に対する第１アダプタ３１のスライド接続が妨げられない。
次に、携帯マルノコ１０の第２バッテリ接続口２３２に対して第２アダプタ３２を同様に接続する。
これにより、図８に示すように、第１アダプタ３１の第１プラス端子Ｐ１、第１マイナス端子Ｎ１、オートストップ端子ＡＳが携帯マルノコ１０の第１バッテリ接続口２３１の第１プラスターミナルＰ１、第１マイナスターミナルＮ１、オートストップターミナルＡＳにそれぞれ接続される。また、第２アダプタ３２の第２プラス端子Ｐ２、第２マイナス端子Ｎ２、オートストップ端子ＡＳが第２バッテリ接続口２３２の第２プラスターミナルＰ２、第２マイナスターミナルＮ２、オートストップターミナルＡＳにそれぞれ接続される。
【００２８】
この結果、携帯マルノコ１０の第１プラスターミナルＰ１と第２マイナスターミナルＮ２間には、バッテリ装置４０のＤＣ３６Ｖ電圧が印加されるようになる。また、第１アダプタ３１のツェナーダイオード３１ｚの働きで第１バッテリ接続口２３１の第１プラスターミナルＰ１と第１マイナスターミナルＮ１間にはＤＣ１８Ｖが印加される。さらに、第２アダプタ３１の分圧抵抗３２ｒの働きで第２バッテリ接続口２３２の第２プラスターミナルＰ２と第２マイナスターミナルＮ２間にはＤＣ１８Ｖが印加される。これにより、携帯マルノコ１０の第１バッテリ電圧検出回路２４４と第２バッテリ電圧検出回路２４５とが共に電圧検出信号をマイコン２４０に出力する。この結果、マイコン２４０は、第１バッテリ接続口２３１と第２バッテリ接続口２３２にそれぞれバッテリパック５０が接続されたものと判断する。
ここで、図６、図７に示すように、誤って携帯マルノコ１０の第２バッテリ接続口２３２に対して第１アダプタ３１を接続しようとしても、第１アダプタ３１は突条３１７ｔの働きで第２バッテリ接続口２３２に接続されることがない。
【００２９】
次に、図１０に示すフローチャートに基づいて携帯マルノコ１０の動作について説明する。ここで、図１０に示す処理は、携帯マルノコ１０のマイコン２４０のメモリに格納されたプログラムに基づいて繰り返し実行される。
先ず、携帯マルノコ１０の起動スイッチ２２１がオン操作されると（ステップＳ１０１、Ｓ１０２）、ステップＳ１０３で第１バッテリ接続口２３１のオートストップターミナルＡＳから入力された放電制御信号が放電禁止信号か、あるいは放電許可信号であるか判定される。放電許可信号の場合（ステップＳ１０３  ＹＥＳ）、ステップＳ１０４で第２バッテリ接続口２３２のオートストップターミナルＡＳから入力された放電制御信号が放電禁止信号か、あるいは放電許可信号か判定される。第２バッテリ接続口２３２のオートストップターミナルＡＳには第２アダプタ３２の放電許可信号出力回路３２ｙから常に放電許可信号が入力されるため、ステップＳ１０４の判断はＹＥＳとなる。このため、起動スイッチ２２１のオン操作によりＦＥＴ駆動回路２４３が駆動され（ステップＳ１０５）、モータ１６ｍの回転制御が行われる（Ｓ１０６）。即ち、携帯マルノコ１０が駆動される。
また、例えば、バッテリ装置４０が長時間使用されて、セルＳの電圧が許容電圧よりも低下すると、バッテリ装置４０のコントローラ４３が放電禁止信号を出力する。これにより、コントローラ４３の放電禁止信号がオートストップ端子ＡＳ、放電制御信号変換回路３１ｘを介して携帯マルノコ１０のマイコン２４０に入力される。この結果、ステップＳ１０３の判断がＮＯとなり、マイコン２４０からＦＥＴ駆動回路２４３に対して放電禁止信号が出力される（ステップＳ１０７）。このため、起動スイッチ２２１がオン操作されていてもモータ１６ｍが停止するようになる。
【００３０】
＜本実施形態に係るアダプタユニット３０の長所について＞
本実施形態に係るアダプタユニット３０は、携帯マルノコ１０の二個のバッテリ接続口２３１，２３２に対してそれぞれ接続可能に構成された二台のアダプタ３１，３２を備えている。このため、携帯マルノコ１０のバッテリ接続口２３１，２３２の位置が機種毎に異なっていても、それらのバッテリ接続口２３１，２３２に対して二台のアダプタ３１，３２をそれぞれ接続できるようになる。したがって、二個のバッテリ接続口２３１，２３２を有する種々の携帯マルノコ１０に対してバッテリ装置４０の電力を供給可能になる。
また、第１アダプタ３１と第１バッテリ接続口２３１とには、互いの接続を許容する突条３１７ｔと凹部２３３ｍ（誤接続防止部）が設けられている。そして、第１アダプタ３１の突条３１７ｔ（誤接続防止部）は、その第１アダプタ３１と第２バッテリ接続口２３２との電気的接続を妨げるように構成されている。このため、二台のアダプタ３１，３２と二個のバッテリ接続口２３１，２３２が誤接続された状態で、バッテリ装置４０の電力が携帯マルノコ１０に供給されるような不具合を防止できる。
【００３１】
また、第１アダプタ３１と第２アダプタ３２間は、渡りケーブル３６によって接続されているため、二台のアダプタ３１，３２の配置自由度が向上する。
また、第１アダプタ３１が携帯マルノコ１０に対して放電禁止信号を出力可能な構成のため、バッテリ装置４０の状態に応じて携帯マルノコ１０の運転を停止できるようになる。また、第２アダプタ３２は携帯マルノコ１０に対して常に放電許可信号を出力するように構成されているため、各々のアダプタ３１，３２毎に放電禁止信号、あるいは放電許可信号を出力可能な構成と比較してコスト低減を図ることができる。
また、第１アダプタ３１、第２アダプタ３２は、携帯マルノコ１０に設けられた第１バッテリ接続口２３１、第２バッテリ接続口２３２に接続可能なバッテリパック５０と等しい電圧信号を出力できるように構成されている。このため、携帯マルノコ１０のマイコン２４０は、第１バッテリ接続口２３１、第２バッテリ接続口２３２にそれぞれアダプタ３１,２が接続された場合と、それぞれバッテリパック５０が接続された場合とを同様に取り扱えるようになる。
また、第２アダプタ３２には、バッテリ装置４０のセルＳの内部抵抗を補償するための調整用抵抗３２ｑが収納されている。このため、携帯マルノコ１０に接続可能なバッテリパック５０に対し、第１アダプタ３１、第２アダプタ３２を介して接続されるバッテリ装置４０の内部抵抗が小さい場合でも、その抵抗差を補償することができる。また、既製品であるバッテリ装置４０に対して調整用抵抗３２ｑを後で取付けることが可能になる。
また、バッテリ装置４０は携帯マルノコ１０を使用する使用者の身体に装着可能に構成されているため、バッテリ装置４０とアダプタユニット３０との取扱い性が向上する。
【００３２】
＜変更例＞
ここで、本発明は上記実施形態に限定されるものではなく、本発明の要旨を逸脱しない範囲における変更が可能である。例えば、本実施形態では、電動作業機械として携帯マルノコ１０を例示したが、図１１に示すように、電動作業機械としてブロア６０を使用することも可能である。また、本実施形態では、第１アダプタ３１と第２アダプタ３２とを別体とする例を示した。しかし、図１１に示すように、第１アダプタ３１と第２アダプタ３２とを一体化することも可能である。
また、本実施形態では、図１２に示すように、携帯マルノコ１０の第１バッテリ接続口２３１、第２バッテリ接続口２３２に対して第１アダプタ３１、第２アダプタ３２を接続する構成で、第１バッテリ接続口２３１の角溝２３３に凹部２３３ｍを形成し、第１アダプタ３１の横方向突条部３１７に突条３１７ｔを形成することで誤接続を防止する例を示した。これに対し、図１３に示すように、第１アダプタ３１の横方向突条部３１７の突条３１７ｔの代わりに横方向突条部３１７に先端延長部３１７ｔ（誤接続防止部）を設け、第１バッテリ接続口２３１の角溝２３３の長さ寸法をこれに合わせて延長することも可能である。
また、本実施形態では、第１アダプタ３１側に突条３１７ｔ（誤接続防止部）を設け、第１バッテリ接続口２３１側に凹部２３３ｍ（誤接続防止部）を設ける例を示したが、それとは逆に、第１アダプタ３１側に凹部を設け、第１バッテリ接続口２３１側に突条を設けることも可能である。
また、本実施形態では、アダプタ３１，３２を二台備えるアダプタユニット３０を例示したが、図１４に示すように、電動作業機械２３０のバッテリ接続口２３１，２３２，２３４の個数に応じてアダプタ３１，３２，３３の数を増加させることも可能である。この場合、第１アダプタの左右両側に突条３１７ｔ、第１バッテリ接続口２３１の左右両側に凹部２３３ｍを設け、第２アダプタの一方に突条３１７ｔ、第２バッテリ接続口２３１の一方に凹部２３３ｍを設ける等、誤接続防止対策を行うようにする。
さらに、本実施形態では、バッテリ接続口２３１，２３２が並んで設けられている電動作業機械（携帯マルノコ１０）を例示したが、各々のバッテリ接続口２３１，２３２が若干離れて設けられていても特に問題はない。
また、アダプタ３１，３２と主ケーブル３５との接続をコネクタ形式とし、主ケーブル３５とバッテリ装置４０との接続をコネクタ形式として、主ケーブル３５を交換できるようにするのが好ましい。
ここで、本発明に係る電動作業機械には、具体的に、電動ドリル、電動ドライバ、電動レンチ、電動グラインダ、電動マルノコ、電動レシプロソー、電動ジグソー、電動ハンマ、電動カッター、電動チェンソー、電動カンナ、電動釘打ち機（鋲打ち機を含む）、電動ヘッジトリマ、電動芝刈り機、電動芝生バリカン、電動刈払機、電動クリーナ等も含むものとする。
【符号の説明】
【００３３】
１０・・・・携帯マルノコ（電動作業機械）
３０・・・・アダプタユニット
３１・・・・第１アダプタ（基準アダプタ）
３２・・・・第２アダプタ
３２ｑ・・・調整用抵抗
３５・・・・主ケーブル
３６・・・・渡りケーブル
４０・・・・バッテリ装置
５０・・・・バッテリパック
２３１・・・第１バッテリ接続口（基準バッテリ接続口）
２３２・・・第２バッテリ接続口
２３３ｍ・・凹部（誤接続防止部）
３１７ｔ・・突条（誤接続防止部）
【図１】
2014235812.tif 000003
【図２】
2014235812.tif 000004
【図３】
2014235812.tif 000005
【図４】
2014235812.tif 000006
【図５】
2014235812.tif 000007
【図６】
2014235812.tif 000008
【図７】
2014235812.tif 000009
【図８】
2014235812.tif 000010
【図９】
2014235812.tif 000011
【図１０】
2014235812.tif 000012
【図１１】
2014235812.tif 000013
【図１２】
2014235812.tif 000014
【図１３】
2014235812.tif 000015
【図１４】
2014235812.tif 000016